(57)【特許請求の範囲】
【請求項１】
外部装置から入力された動作指示信号に基づく開閉器の動作に用いる空気を圧縮するコンプレッサーのタンクの二次側に接続され、前記開閉器の操作機構部およびブレード部の少なくとも一方に対向する位置に設けられた空気吐出口を備えた管路部材と、
前記管路部材に設けられ、当該管路部材中において前記タンクから前記空気吐出口へ流れる空気の流路を開閉する電磁弁と、
前記開閉器の周辺温度を検出する温度検出手段と、
前記動作指示信号が入力されたことを検出する動作指示信号検出手段と、
前記温度検出手段および前記動作指示信号検出手段による検出結果に基づいて前記電磁弁を開閉制御する開閉制御手段と、
を備えたことを特徴とする開閉器運転支援装置。
【請求項２】
前記開閉制御手段は、前記動作指示信号が入力された時点における前記開閉器の周辺温度が３℃以下である場合に前記電磁弁を開くように開閉制御することを特徴とする請求項１に記載の開閉器運転支援装置。
【請求項３】
前記タンクの二次側における空気圧を検出する空気圧検出手段を備え、
前記開閉制御手段は、前記温度検出手段、前記動作指示信号検出手段および前記空気圧検出手段による検出結果に基づいて前記電磁弁を開閉制御することを特徴とする請求項１または２に記載の開閉器運転支援装置。
【請求項４】
前記開閉制御手段は、前記タンクの二次側における空気圧が１４ｋｇ／ｃｍ2以上である場合に前記電磁弁を開くように開閉制御することを特徴とする請求項３に記載の開閉器運転支援装置。
【請求項５】
前記開閉制御手段は、前記タンクの二次側における空気圧が１３．５ｋｇ／ｃｍ2以下である場合に前記電磁弁を閉じるように開閉制御することを特徴とする請求項４に記載の開閉器運転支援装置。
【請求項６】
前記空気吐出口は、複数設けられていることを特徴とする請求項１〜５のいずれか一つに記載の開閉器運転支援装置。
【請求項７】
前記管路部材における前記空気吐出口の近傍に設けられ、当該管路部材の外周方向に突出するバイザー部材を備えたことを特徴とする請求項１〜６のいずれか一つに記載の開閉器運転支援装置。
【請求項８】
前記バイザー部材は、前記空気吐出口から吐出された空気を前記操作機構部および前記ブレード部の少なくとも一方に案内する形状をなすことを特徴とする請求項７に記載の開閉器運転支援装置。
【発明の詳細な説明】
【技術分野】
【０００１】
この発明は、開閉器の運転を支援する開閉器運転支援装置に関する。
【背景技術】
【０００２】
発変電所に設置される屋外の線路接地開閉器（以下ＬＥと言う）などの開閉器は、送電線作業時などに際して電路を接地することによって作業員の安全を確保する。開閉器を含む電力系統における送電線作業に対する作業に際しては、遠隔監視制御により開閉制御をおこなっている開閉器が、たとえば、「入不能」などの動作不良を生じた場合は、送電線作業に着手することができない。
【０００３】
従来、開閉器が動作不良となった場合は、作業者が緊急に現地に出向き、手動で開閉器を投入するなどして対応していた。開閉器が「入不能」となる動作不良は、特に、開閉器の操作機構部に積雪したり、開閉器の操作機構部が凍結したりしやすくなる冬季に多発する傾向がある。
【０００４】
しかしながら、上述した従来の技術では、開閉器が「入不能」となる動作不良が発生した場合は手動で開閉器を投入するまでの間は送電線作業に着手できないにもかかわらず、開閉器を手動で投入する作業をおこなう作業者の手配に時間がかかったり、当該作業者が現地に到着するまでに時間がかかったりして、送電線作業への着手および当該送電線作業の完了が遅れてしまうという問題があった。
【０００５】
また、上述した従来の技術では、開閉器が「入不能」となる動作不良が発生する環境は、開閉器の周囲および当該開閉器の設置場所までに到着するまでの道のりが積雪したり凍結している場合が多く、積雪や凍結していない場合と比較して、開閉器を手動で投入する作業をおこなう作業者が現地に到着するまでに一層時間がかかる傾向にあり、送電線作業への着手および当該送電線作業の完了が遅れてしまうという問題があった。
【０００６】
たとえば、トラブルなどに起因するために緊急性が高い送電線作業の場合、作業自体ではなく、作業者の手配や当該作業者の現場到着が遅れてしまうことにより送電線作業への着手が遅れてしまうために、当該送電線作業の完了が遅れてしまうという問題があった。
【０００７】
従来、屋根や構造体面の積雪を除去する技術として、具体的には、たとえば、市販されている一般業務用のコンプレッサーにより圧縮された圧縮空気を圧力タンクに蓄積し、積雪深センサーからの信号に応じて電磁弁を開閉制御して屋根や構造体面に対して圧縮空気を噴出させるようにした技術があった（たとえば、下記特許文献１を参照。）。
【０００８】
また、従来、降雪中の雪や屋根の積雪を吹き飛ばす技術として、具体的には、たとえば、屋内に設けられた送風機と、屋根の上の稜線部に設置されて送風機から送られた圧搾空気を噴出させるノズルと、送風機から導入された圧搾空気によってノズルを回転させる回転装置とを備え、ノズルから噴出した圧搾空気でノズルを回転させながら当該圧搾空気を屋根のほぼ全面に吹き付けるようにした技術があった（たとえば、下記特許文献２を参照。）。
【０００９】
また、従来、タンクの屋根部に降り積もった雪を除去する技術として、具体的には、たとえば、タンクの屋根部に設けられかつ屋根部に向けた多数の吐出口を有する配管と、配管に圧縮空気を送給可能な空気送給弁および空気貯留タンクとを備え、空気送給弁を開いて配管へ送給した圧縮空気を配管の吐出口より噴出させるようにした技術があった（たとえば、下記特許文献３を参照。）。
【００１０】
また、従来、線路の切り換えポイントにおける可動部分に挟まった雪塊（雪、氷、及び石やゴミ等の異物）を除去する技術として、具体的には、たとえば、気体貯蔵室から放出される圧縮気体により液体貯蔵室に貯蔵されている液体を可動部分に向けて発射させるようにした技術があった（たとえば、下記特許文献４を参照。）。
【００１１】
また、従来、積雪を除去する技術として、具体的には、たとえば、コンプレッサーから供給される高圧の圧縮空気をノズルから噴出させ、屋根および地上などに降り積もった雪を吹き飛ばして除去し、該雪を除去した箇所に温水を吹き付けて残りの雪を液化または気化させるようにした技術があった（たとえば、下記特許文献５を参照。）。
【先行技術文献】
【特許文献】
【００１２】
【特許文献１】特開２００１−３２３６８７号公報
【特許文献２】特開２００８−１９０２９１号公報
【特許文献３】特開２００３−２７６７９６号公報
【特許文献４】特開２００１−２７９６３３号公報
【特許文献５】特開２００４−３４６５８４号公報
【発明の概要】
【発明が解決しようとする課題】
【００１３】
しかしながら、上述した特許文献１および特許文献２に記載された従来の技術は、積雪を検知するセンサーからの信号に基づいて動作するように制御しているため、開閉器の操作機構部に積雪した場合の当該開閉器の動作不良にしか対応することができず、対応範囲が限定されるという問題があった。上述した特許文献３に記載された従来の技術も同様に、降雪が開始した場合に動作するように制御しているため、開閉器の操作機構部に積雪した場合の当該開閉器の動作不良にしか対応することができず、対応範囲が限定されるという問題があった。このため、上述した特許文献１〜３に記載された従来の技術では、たとえば、開閉器の操作機構部が凍結した場合は対応することができないという問題があった。
【００１４】
また、上述した特許文献３および特許文献４に記載された従来の技術は、降雪する状況下において水を保持しておく機構が必要となり、装置が複雑化したり大型化したりしてしまうという問題があった。さらに、上述した特許文献５に記載された従来の技術は、温水を用いて積雪を除去するため、降雪する状況下において温水を保持する機構や水を加温する機構などが必要となり、装置が複雑化したり大型化したりしてしまうという問題があった。
【００１５】
この発明は、上述した従来技術による問題点を解消するため、開閉器の設置環境に左右されることなく当該開閉器を常時正常に動作させることができる開閉器運転支援装置を提供することを目的とする。
【課題を解決するための手段】
【００１６】
上述した課題を解決し、目的を達成するため、この発明にかかる開閉器運転支援装置は、外部装置から入力された動作指示信号に基づく開閉器の動作に用いる空気を圧縮するコンプレッサーのタンクの二次側に接続され、前記開閉器の操作機構部およびブレード部の少なくとも一方に対向する位置に設けられた空気吐出口を備えた管路部材と、前記管路部材に設けられ、当該管路部材中において前記タンクから前記空気吐出口へ流れる空気の流路を開閉する電磁弁と、前記開閉器の周辺温度を検出する温度検出手段と、前記動作指示信号が入力されたことを検出する動作指示信号検出手段と、前記温度検出手段および前記動作指示信号検出手段による検出結果に基づいて前記電磁弁を開閉制御する開閉制御手段と、を備えたことを特徴とする。
【００１７】
また、この発明にかかる開閉器運転支援装置は、上記の発明において、前記開閉制御手段が、前記動作指示信号が入力された時点における前記開閉器の周辺温度が３℃以下である場合に前記電磁弁を開くように開閉制御することを特徴とする。
【００１８】
また、この発明にかかる開閉器運転支援装置は、上記の発明において、前記タンクの二次側における空気圧を検出する空気圧検出手段を備え、前記開閉制御手段が、前記温度検出手段、前記動作指示信号検出手段および前記空気圧検出手段による検出結果に基づいて前記電磁弁を開閉制御することを特徴とする。
【００１９】
また、この発明にかかる開閉器運転支援装置は、上記の発明において、前記開閉制御手段が、前記タンクの二次側における空気圧が１４ｋｇ／ｃｍ2以上である場合に前記電磁弁を開くように開閉制御することを特徴とする。
【００２０】
また、この発明にかかる開閉器運転支援装置は、上記の発明において、前記開閉制御手段が、前記タンクの二次側における空気圧が１３．５ｋｇ／ｃｍ2以下である場合に前記電磁弁を閉じるように開閉制御することを特徴とする。
【００２１】
また、この発明にかかる開閉器運転支援装置は、上記の発明において、前記空気吐出口が、複数設けられていることを特徴とする。
【００２２】
また、この発明にかかる開閉器運転支援装置は、上記の発明において、前記管路部材における前記空気吐出口の近傍に設けられ、当該管路部材の外周方向に突出するバイザー部材を備えたことを特徴とする。
【００２３】
また、この発明にかかる開閉器運転支援装置は、上記の発明において、前記バイザー部材が、前記空気吐出口から吐出された空気を前記操作機構部および前記ブレード部の少なくとも一方に案内する形状をなすことを特徴とする。
【発明の効果】
【００２４】
この発明にかかる開閉器運転支援装置によれば、開閉器の操作機構部やブレード部における積雪や開閉器の操作機構部やブレード部において凍結した水分などを圧縮空気によって除去することができるという効果を奏する。
【００２５】
これによって、この発明にかかる開閉器運転支援装置によれば、開閉器の設置環境に左右されることなく当該開閉器を常時正常に動作させることができるという効果を奏する。
【図面の簡単な説明】
【００２６】
【図１】この発明にかかる実施の形態の開閉器運転支援装置および当該開閉器運転支援装置が設けられる開閉器の構成を示す説明図（その１）である。
【図２】この発明にかかる実施の形態の開閉器運転支援装置および当該開閉器運転支援装置が設けられる開閉器の構成を示す説明図（その２）である。
【図３】この発明にかかる実施の形態の開閉器運転支援装置および当該開閉器運転支援装置が設けられる開閉器の構成を示す説明図（その３）である。
【図４】コンプレッサーを示す説明図である。
【図５】この発明にかかる実施の形態の開閉器運転支援装置の機能的構成を示すブロック図である。
【図６】この発明にかかる実施の形態の開閉器運転支援装置の処理手順を示すフローチャートである。
【発明を実施するための形態】
【００２７】
以下に添付図面を参照して、この発明にかかる開閉器運転支援装置の好適な実施の形態を詳細に説明する。
【００２８】
まず、この発明にかかる実施の形態の開閉器運転支援装置の構成について説明する。図１、図２および図３は、この発明にかかる実施の形態の開閉器運転支援装置および当該開閉器運転支援装置が設けられる開閉器の構成を示す説明図である。
【００２９】
図１においては、この発明にかかる実施の形態の開閉器運転支援装置および当該開閉器運転支援装置が設けられる開閉器を斜め上方から見た状態を示している。図２においては、図１におけるＡ矢視図の一部を示している。図３においては、図２における一部を拡大した状態を示している。
【００３０】
図１、図２および図３において、この発明にかかる実施の形態の開閉器運転支援装置が設けられる開閉器（断路器）１００は、三相分のベース１０１（１０１ａ、１０１ｂ、１０１ｃ）を備えている。ベース１０１（１０１ａ、１０１ｂ、１０１ｃ）は、架台１０２上において平行に設置されている。
【００３１】
ベース１０１において、当該ベース１０１の長手方向における中央部であって鉛直方向上面には、それぞれ、スラストベアリング１０３を介して回転碍子１０４が設けられている。回転碍子１０４は、鉛直方向に沿って延出し、軸心を中心として回転可能に設けられている。
【００３２】
回転碍子１０４におけるベース側の端部には、回転機構１０５が設けられている。回転機構１０５は、後述する制御部によって駆動制御される駆動モータ（図５を参照）を備えている。回転機構１０５は、駆動モータを駆動することにより、回転碍子１０４を当該回転碍子１０４の軸心を中心として回転させる。
【００３３】
ベース１０１において、当該ベース１０１の長手方向における両端部であって鉛直方向上面には、それぞれ、固定碍子１０６が設けられている。固定碍子１０６は、それぞれ、鉛直方向に沿って延出した状態で、ベース１０１に固定されている。固定碍子１０６の頂部（ベース１０１とは反対側の端部）には、それぞれ、送電線１０７（１０７ａ、１０７ｂ）に対する電気的接続点となる電極１０８（１０８ａ、１０８ｂ）が取り付けられている。電極１０８ａには送電線１０７ａが電気的に接続されており、電極１０８ｂには送電線１０７ｂが電気的に接続されている。
【００３４】
回転碍子１０４の鉛直方向における上端には、導電ブレード１０９が設けられている。導電ブレード１０９は、金属材料などの導電性に優れた導電性材料を用いて形成されている。導電ブレード１０９は、水平方向に沿って延出した状態で、回転碍子１０４に固定されている。導電ブレード１０９は、回転碍子１０４の回転にともなって、回転碍子１０４と一体に回転する。
【００３５】
導電ブレード１０９は、回転碍子１０４の回転にともなって、当該導電ブレード１０９における両端部が電極１０８（１０８ａ、１０８ｂ）にそれぞれ電気的に接続される入り状態から、当該導電ブレード１０９における両端部と電極１０８（１０８ａ、１０８ｂ）との電気的な接続が切断される切り状態側に回転する。また、導電ブレード１０９は、回転碍子１０４の回転にともなって、当該導電ブレード１０９における両端部と電極１０８（１０８ａ、１０８ｂ）との電気的な接続が切断される切り状態から、当該導電ブレード１０９における両端部が電極１０８（１０８ａ、１０８ｂ）にそれぞれ電気的に接続される入り状態側に回転する。
【００３６】
架台１０２には、上記の制御部を実現する制御基板を収容する操作箱１１１が設けられている。操作箱１１１には、上記の回転機構１０５の一部を構成する操作ロッド１１０の一端が設けられている。操作ロッド１１０は、回転機構１０５が備える駆動モータの回転駆動力によって回転駆動され、駆動モータの回転駆動力を導電ブレード１０９に伝達する。制御部は、回転機構１０５が備える駆動モータを駆動制御することによって操作ロッド１１０を回転駆動する。
【００３７】
制御部は、外部装置である遠隔制御装置から出力された、「導電ブレード１０９を入り状態から切り状態へ切り換える」動作指示信号、および、「導電ブレード１０９を切り状態から入り状態へ切り換える」動作指示信号のいずれか一方が入力された場合に、回転機構１０５が備える駆動モータを駆動制御して操作ロッド１１０を所定方向に回転駆動させることによって、開閉器（断路器）１００を動作させる。
【００３８】
操作ロッド１１０は、作業者が手動によって回転させることも可能とされている。具体的には、制御部は、たとえば、操作箱１１１内に設けられた所定の操作スイッチに対して、「導電ブレード１０９を入り状態から切り状態へ切り換える」入力操作、および、「導電ブレード１０９を切り状態から入り状態へ切り換える」入力操作のいずれか一方がおこなわれた場合に、回転機構１０５が備える駆動モータを駆動制御して操作ロッド１１０を所定方向に回転駆動することができる。
【００３９】
操作ロッド１１０において、鉛直方向上側の端部（ベース１０１側の端部）は、上記の回転機構１０５を介してスラストベアリング１０３に接続されている。操作ロッド１１０と接続されたスラストベアリング１０３は、操作ロッド１１０を介して、他の相のスラストベアリング１０３に接続されている。
【００４０】
開閉器１００において、回転機構１０５が備える駆動モータで発生する回転力は、操作ロッド１１０などを介してスラストベアリング１０３に伝達されるとともに、操作棒１１２を介して他の相のスラストベアリング１０３に伝達される。各相の回転碍子１０４は、それぞれ、回転機構１０５が備える駆動モータで発生する回転力が各スラストベアリング１０３を介して伝達されることにより同期して回転する。
【００４１】
これにより、各相の電極１０８（１０８ａ、１０８ｂ）に対して各導電ブレード１０９の両端を離反あるいは接触させ、送電線１０７（１０７ａ、１０７ｂ）間を開閉することができる。開閉器１００においては、各相の導電ブレード１０９が同一の開閉動作をおこなう。
【００４２】
一対の電極１０８（１０８ａ、１０８ｂ）のうち母線（送電線や構内母線）に接続される側の電極（この実施の形態においては、図２における右側に設けられた電極）１０８ｂは、接地装置１１３によって接地できるように構成されている。接地装置１１３は、大地に接地（アース）された導電性支持体１１４と導電性の接地ブレード１１５とを備えている。
【００４３】
接地ブレード１１５は、導電性支持体１１４の先端部（鉛直方向における上端部）に設けられた回動支軸１１６を中心として回動可能とされている。接地ブレード１１５は、回動支軸１１６を中心として、接地ブレード１１５の長手方向が鉛直方向と略平行となる入り状態から当該接地ブレード１１５の長手方向が水平方向と略平行となる切り状態までの略９０度の範囲で回動することが可能とされている。
【００４４】
回動支軸１１６には、接地用駆動モータ（図５を参照）が連結されている。接地ブレード１１５は、接地用駆動モータの駆動力によって回動される。この実施の形態においては、接地ブレード１１５の回動にかかわる各部によって操作機構部を実現することができる。具体的には、操作機構部は、たとえば、接地ブレード１１５が回動する際に、当該接地ブレード１１５とともに回動する部材、接地ブレード１１５の回動軌跡上に存在する部材などによって操作機構部を実現することができる。
【００４５】
上記の制御部は、接地用駆動モータを駆動制御することによって接地ブレード１１５を回動制御する。制御部は、たとえば、外部装置である遠隔制御装置から出力された、「接地ブレード１１５を入り状態から切り状態へ切り換える」動作指示信号、および、「接地ブレード１１５を切り状態から入り状態へ切り換える」動作指示信号のいずれか一方が入力された場合に、接地用駆動モータを駆動制御することによって接地ブレード１１５を所定方向に回動させる。この実施の形態においては、接地ブレード１１５の回動動作によって、外部装置から入力された動作指示信号に基づく開閉器の動作を実現することができる。
【００４６】
接地ブレード１１５は、作業者が手動によって回動させることも可能とされている。制御部は、操作箱１１１内に設けられた所定の操作スイッチに対して、「接地ブレード１１５を入り状態から切り状態へ切り換える」入力操作、および、「接地ブレード１１５を切り状態から入り状態へ切り換える」入力操作のいずれか一方がおこなわれた場合に、接地用駆動モータを駆動制御することによって接地ブレード１１５を所定方向に回動させる。
【００４７】
接地ブレード１１５は、接地用駆動モータの駆動力によって回転駆動され、入り状態に位置付けられた状態において、電極１０８ｂに電気的に接続された電極１１７に電気的に接続する。電極１１７は、導電アーム１１８を介して、電極１０８ｂに電気的に接続されている。接地ブレード１１５が電極１１７に電気的に接続することにより、電極１０８ｂ側の送電線（母線に接続される側の送電線）１０７ｂが大地に接地（アース）される。
【００４８】
開閉器１００は、接地ブレード１１５の状態を検出する開閉検知機構を備えている。開閉検知機構は、たとえば、接地ブレード１１５が入り状態であるか否かに応じて出力が変化する接地状態検出センサー２０１ａと、接地ブレード１１５が切り状態であるか否かに応じて出力が変化する接地状態検出センサー２０１ｂと、を備え、各接地状態検出センサー２０１ａ、２０１ｂから出力される信号に基づいて接地ブレード１１５の状態を検出する。
【００４９】
操作箱１１１の鉛直方向における上方には、温度検出手段としての温度センサー１３０が設けられている。温度センサー１３０は、操作箱１１１すなわち当該操作箱１１１を備えた開閉器１００が設置されている環境温度を測定し、測定結果を示す信号を出力する。温度センサー１３０は、具体的には、たとえば、サーミスタ（ｔｈｅｒｍｉｓｔｏｒ）などと称される、温度変化に対して電気抵抗の変化の大きい抵抗体によって実現することができる。温度センサー１３０の出力値は、制御部に入力される。
【００５０】
また、制御部は、導電ブレード１０９や接地ブレード１１５を駆動制御する制御部を兼ねていてもよい。この場合、制御部は、たとえば、接地ブレード１１５の状態に関する判断結果に基づいて、接地ブレード１１５の状態を出力する制御をおこなってもよい。
【００５１】
さらに、この場合、制御部は、たとえば、接地ブレード１１５の状態に応じて、所定のＬＥＤランプを点灯あるいは消灯することによって接地ブレード１１５の状態を出力することができる。また、この場合、制御部は、たとえば、接地ブレード１１５の状態に応じて、当該接地ブレード１１５の状態を示す信号を遠隔制御装置などの外部装置に出力することによって接地ブレード１１５の状態を出力するようにしてもよい。
【００５２】
制御部には、外部装置である遠隔制御装置（図示を省略する）から、開閉器１００の動作を指示する信号が入力される。開閉器１００の動作を指示する信号は、たとえば、外部装置である遠隔制御装置から出力された、「接地ブレード１１５を入り状態から切り状態へ切り換える」動作指示信号や、「接地ブレード１１５を切り状態から入り状態へ切り換える」動作指示信号によって実現することができる。
【００５３】
導電ブレード１０９や接地ブレード１１５の駆動制御に際しては、開閉器１００の近傍に設けられたコンプレッサー（図４を参照）により圧縮された圧縮空気を用いる。コンプレッサーは、配管１１９を介して、導電ブレード１０９や接地ブレード１１５を駆動させる機構部に連結されている。配管１１９には、配管１１９内に形成される空気の流路を開閉する駆動用電磁弁（図５を参照）が設けられている。駆動用電磁弁は、手動または遠隔制御装置からの動作指示信号に基づいて動作して、配管１１９内に形成される空気の流路を開閉する。
【００５４】
駆動用電磁弁は、流体の流れを制御する弁（バルブ）の一種であって、コイルと当該コイルの中に設けられたプランジャと称される可動鉄片とによって構成されるソレノイドを備え、可動鉄片の動きによって弁（バルブ）を開閉することにより配管１１９における空気の流路を開閉する。駆動用電磁弁を用いて配管１１９における空気の流路を開閉することにより、当該開閉動作の高速化を図ることができる。
【００５５】
具体的には、制御部は、動作指示信号が入力された場合に駆動用電磁弁を駆動制御して配管１１９における空気の流路を開閉し、圧縮された圧縮空気の圧力を利用して導電ブレード１０９や接地ブレード１１５が入り状態および切り状態のいずれか一方の状態になるように駆動制御する。
【００５６】
コンプレッサーのタンクの二次側と、導電ブレード１０９や接地ブレード１１５を駆動させる機構部とを連結する配管１１９において、当該機構部の近傍には、当該配管１１９から分岐する管路部材１２０の一端が設けられている。具体的には、管路部材１２０の一端は、操作箱１１１の外側であって、当該操作箱１１１の近傍に設けられている。
【００５７】
管路部材１２０において、管路部材１２０の内周側であって、配管１１９と管路部材１２０との分岐点の近傍には、管路部材１２０における空気の流路を開閉する電磁弁１２１が設けられている。電磁弁１２１は、配管１１９内に形成される空気の流路を開閉する上記の電磁弁と同様に、流体の流れを制御する弁（バルブ）の一種であって、コイルと可動鉄片とによって構成されるソレノイドを備え、可動鉄片の動きによって弁（バルブ）を開閉することにより管路部材１２０における空気の流路を開閉する。電磁弁１２１を用いて管路部材１２０における空気の流路を開閉することにより、当該開閉動作の高速化を図ることができる。
【００５８】
電磁弁１２１は、上記の制御部によって駆動制御される。制御部は、たとえば、温度センサー１３０の出力値および外部装置から入力された動作指示信号に基づいて、電磁弁１２１を駆動制御する。具体的には、制御部は、たとえば、外部装置から接地ブレード１１５にかかる動作指示信号が入力された時点における開閉器１００の周辺温度が３℃以下である場合に、管路部材１２０内に形成される流路を開く、すなわち、電磁弁１２１を開くように開閉制御する。この実施の形態においては、制御部によって開閉制御手段を実現することができる。
【００５９】
管路部材１２０は、操作箱１１１の近傍から架台１０２の下側を経由し、回動支軸１１６よりも開閉器１００の外側を経由して、他端側が接地ブレード１１５の近傍に位置するように引き回されている。管路部材１２０の他端側は、接地ブレード１１５に沿って設けられている。
【００６０】
管路部材１２０において、接地ブレード１１５の回動中心となる回動支軸１１６の近傍は、加えられた外力に応じて変形可能な高圧ホース１２０ａによって形成されている。管路部材１２０において、高圧ホース１２０ａ以外の部分は、銅製の管状部材１２０ｂ、１２０ｃによって形成されている。
【００６１】
管路部材１２０において、接地ブレード１１５に沿って設けられる管状部材１２０ｃは、接地ブレード１１５が回動支軸１１６を中心として回動した場合に、当該接地ブレード１１５の回動にともなって変位する。管状部材１２０ｂと管状部材１２０ｃとを高圧ホース１２０ａによって接続することにより、管路部材１２０内に形成される空気の流路を潰すことなく、接地ブレード１１５の回動にともなって管状部材１２０ｃを変位させることができる。
【００６２】
管路部材１２０において、操作機構部および接地ブレード１１５に対向する位置には、空気吐出口３０１が設けられている。具体的には、たとえば、高圧ホース１２０ａには、操作機構部に対向する位置に空気吐出口３０１が設けられている。また、具体的には、たとえば、管状部材１２０ｃには、接地ブレード１１５に対向する位置に空気吐出口３０１が設けられている。
【００６３】
空気吐出口３０１は、管路部材１２０の軸心を中心とする円の半径方向すなわち管路部材１２０を構成する管状部材１２０ｃの厚み方向に沿って、当該管状部材１２０ｃを貫通している。空気吐出口３０１の開口径は、管路部材１２０の内径よりも小さい。これにより、タンクから配管１１９に供給され、配管１１９から分流された空気（圧縮空気）は、空気吐出口３０１から接地ブレード１１５に向けて吐出される。空気吐出口３０１の開口径を調整することにより、配管１１９から分流された空気（圧縮空気）の圧力を低下させることなく、当該空気（圧縮空気）を適切な圧力で接地ブレード１１５に向けて吐出させることができる。
【００６４】
管路部材１２０（高圧ホース１２０ａ、管状部材１２０ｃ）において、空気吐出口３０１は、複数設けられている。これにより、配管１１９から分流された空気（圧縮空気）を広範囲にわたって吹き付けることができる。空気吐出口３０１を複数設けた場合にも、上記のように、空気吐出口３０１の開口径を調整することにより、配管１１９から分流された空気（圧縮空気）の圧力を低下させることなく、当該空気（圧縮空気）を適切な圧力で接地ブレード１１５に向けて吐出させることができる。
【００６５】
複数の空気吐出口３０１は、それぞれ、配管１１９から分流された空気（圧縮空気）を、操作機構部や接地ブレード１１５に対して異なる方向から吹き付けるように、操作機構部や接地ブレード１１５に対する開口方向が異なるように設けられていてもよい。これにより、タンクから配管１１９に供給され、配管１１９から分流された空気（圧縮空気）を、接地ブレード１１５に向けて複数方向から吐出させることができる。
【００６６】
具体的には、たとえば、一の空気吐出口３０１は圧縮された空気を操作機構部や接地ブレード１１５に対して水平方向に吹き付けるように開口し、別の空気吐出口３０１は圧縮された空気を操作機構部や接地ブレード１１５に対して上方から吹き付けるように開口するように、管路部材１２０における空気吐出口３０１の位置を調整することによって、接地ブレード１１５に対する開口方向を異ならせることができる。
【００６７】
あるいは、具体的には、たとえば、一の空気吐出口３０１は圧縮された空気を操作機構部や接地ブレード１１５に対して水平方向における右側から吹き付けるように開口し、別の空気吐出口３０１は圧縮された空気を操作機構部や接地ブレード１１５に対して水平方向における左側から吹き付けるように開口するように、管路部材１２０ｃの形状を蛇行形状とするなどして調整することによって、操作機構部や接地ブレード１１５に対する開口方向を異ならせることができる。
【００６８】
管路部材１２０（管状部材１２０ｃ）において、各空気吐出口３０１の近傍には、それぞれ、バイザー部材３０２が設けられている。バイザー部材３０２は、雨水、土、砂、塵芥などの異物が管路部材１２０（管状部材１２０ｃ）内の流路に入り込むことを低減する。バイザー部材３０２は、接地ブレード１１５が入り状態にある場合にも切り状態にある場合にも、管路部材１２０（管状部材１２０ｃ）内の流路に異物が入り込むことを低減できるように設けることが好ましい。
【００６９】
具体的には、たとえば、管路部材１２０（管状部材１２０ｃ）や空気吐出口３０１に対するバイザー部材３０２の位置を調整することにより、管路部材１２０（管状部材１２０ｃ）内の流路への異物の入り込みを低減することができる。また、具体的には、たとえば、バイザー部材３０２の形状を調整することにより、管路部材１２０（管状部材１２０ｃ）内の流路への異物の入り込みを低減するようにしてもよい。
【００７０】
図４は、コンプレッサーを示す説明図である。図４において、コンプレッサー４００は、空気を圧縮する圧縮機構部４０１と、当該圧縮機構部４０１において圧縮した空気を貯蔵するタンク４０２と、を備えている。コンプレッサー４００は、たとえば、ピストン式コンプレッサー、ダイヤフラム式コンプレッサー、スクリュー式コンプレッサー、ベーン式コンプレッサー、ターボ式コンプレッサーなど公知の各種の方式によって空気を圧縮する。各方式のコンプレッサー４００については、公知の技術であるため説明を省略する。
【００７１】
コンプレッサー４００は、中圧（１０ｋｇｆ／ｃｍ2）以上の吐出圧となるように空気を圧縮することができる圧縮機構部４０１を備えている。圧縮された空気の吐出圧を中圧以上とするため、コンプレッサー４００は、一旦圧縮された空気をさらに圧縮する多段圧縮をおこなう圧縮機構部４０１を備えたものであってもよい。
【００７２】
コンプレッサー４００は、コンプレッサー４００から供給する空気の圧力が一定になるように制御する圧力制御機構（図示を省略する）を備えている。圧力制御機構は、具体的には、たとえば、圧縮機構部４０１を動作させるモータを回転させ続け、圧力が所定値を超えるとリリーフ弁から余分な空気を大気中に放出し、圧力が所定値よりも低下した場合に放出を停止する構成とすることができる。
【００７３】
また、圧力制御機構は、具体的には、たとえば、圧力スイッチの出力によりモータをＯＮ／ＯＦＦすることによって、コンプレッサー４００から供給する空気の圧力が一定になるように制御する構成であってもよい。また、圧力制御機構は、具体的には、たとえば、圧縮した空気の圧力が所定値を超えた場合に、モータを停止させずに圧力スイッチによりアンロード弁を動作させることによりモータを空運転状態とし、圧力が所定値よりも低下した場合にふたたびアンロード弁を動作させることにより圧縮を再開する構成であってもよい。
【００７４】
また、コンプレッサー４００は、圧縮機構部４０１によって圧縮することにより高温となった空気を冷却するアフタークーラーを備えていてもよい。アフタークーラーは、空冷式や水冷式など、公知の各種のものを用いることができる。コンプレッサー４００が備えるタンク４０２の二次側における圧力は、図示を省略する空気圧センサーによって検出することができる。空気圧センサーによる検出信号は、たとえば、上記の制御部に入力される。
【００７５】
制御部は、外部装置から入力された動作指示信号に基づいて、導電ブレード１０９や接地ブレード１１５を回動させるように、導電ブレード１０９や接地ブレード１１５を駆動させる機構部を駆動制御する。導電ブレード１０９や接地ブレード１１５を駆動させる機構部の駆動制御に際して、制御部は、コンプレッサー４００が備えるタンク４０２の二次側の圧力に基づいて、当該機構部の駆動制御をおこなう。
【００７６】
また、制御部は、導電ブレード１０９や接地ブレード１１５を駆動させる機構部に対して直接おこなわれた入力操作に基づいて、導電ブレード１０９や接地ブレード１１５を駆動制御する。上記の配管１１９は、一端が操作箱１１１内において導電ブレード１０９や接地ブレード１１５を駆動させる機構部に連結され、他端がコンプレッサー４００のタンク４０２の二次側に接続されている。
【００７７】
コンプレッサー４００のタンク４０２の二次側は、当該タンク４０２の二次側における空気圧を検出する空気圧検出手段としての空気圧センサー（図示を省略する）が設けられている。空気圧センサーの出力値は、操作箱１１１内に設けられた制御部に入力される。
【００７８】
図５は、この発明にかかる実施の形態の開閉器運転支援装置の機能的構成を示すブロック図である。図５において、この発明にかかる実施の形態の開閉器運転支援装置の機能的構成は、通信部５０１、制御部５０２、温度センサー１３０、空気圧センサー５０３、接地状態検出センサー２０１ａ、接地状態検出センサー２０１ｂ、駆動用電磁弁５０４、電磁弁１２１、駆動モータ５０５、接地用駆動モータ５０６によって実現される。この発明にかかる実施の形態の開閉器運転支援装置において、通信部５０１および制御部５０２の機能は、操作箱１１１内に設けられた制御基板に搭載された各種の集積回路によって実現することができる。
【００７９】
また、この発明にかかる実施の形態の開閉器運転支援装置において、通信部５０１、制御部５０２、空気圧センサー５０３、接地状態検出センサー２０１ａ、接地状態検出センサー２０１ｂ、駆動用電磁弁５０４、駆動モータ５０５、接地用駆動モータ５０６は、それぞれ、開閉器１００の一部を構成し、開閉器運転支援装置に兼用されている。すなわち、この発明にかかる実施の形態の開閉器運転支援装置は、開閉器１００が備える各部を流用して構成されている。
【００８０】
この発明にかかる実施の形態においては、通信部５０１、制御部５０２、温度センサー１３０、空気圧センサー５０３、接地状態検出センサー２０１ａ、接地状態検出センサー２０１ｂ、駆動用電磁弁５０４、電磁弁１２１、駆動モータ５０５、接地用駆動モータ５０６、管路部材１２０（１２０ａ、１２０ｂ、１２０ｃ）、空気吐出口３０１、バイザー部材３０２によって、開閉器運転支援装置を実現することができる。
【００８１】
通信部５０１は、遠隔制御装置などの外部装置との間で通信をおこなう。具体的には、通信部５０１は、たとえば、外部装置から出力された動作指示信号の入力を受け付け（受信し）、入力を受け付けた動作指示信号を制御部５０２に出力する。また、具体的には、通信部５０１は、たとえば、接地状態検出センサー２０１ａ、２０１ｂから出力される信号に基づいて検出した接地ブレード１１５の状態を示す信号を、外部装置に出力する。
【００８２】
制御部５０２は、外部装置から出力された動作指示信号の入力を受け付けた場合に、入力を受け付けた動作指示信号に基づいて駆動モータ５０５、接地用駆動モータ５０６、駆動用電磁弁５０４などを駆動制御する。制御部５０２は、操作箱１１１内に設けられた所定の操作スイッチに対して入力操作がおこなわれた場合に、当該入力操作に基づいて駆動モータ５０５、接地用駆動モータ５０６、駆動用電磁弁５０４などを駆動制御してもよい。
【００８３】
また、制御部５０２は、温度センサー１３０からの出力値や、空気圧センサー５０３からの出力値に基づいて、電磁弁１２１を駆動制御する。制御部５０２は、通信部５０１において外部装置から出力された動作指示信号の入力を受け付けた場合における温度センサー１３０からの出力値や、空気圧センサー５０３からの出力値に基づいて、電磁弁１２１を駆動制御する。
【００８４】
具体的には、制御部５０２は、たとえば、タンク４０２の二次側における空気圧が１４ｋｇ／ｃｍ2以上である場合に電磁弁１２１を開くように開閉制御する。また、具体的には、制御部５０２は、たとえば、タンク４０２の二次側における空気圧が１３．５ｋｇ／ｃｍ2以下である場合に電磁弁を閉じるように開閉制御する。
【００８５】
すなわち、この実施の形態において、制御部５０２は、外部装置から動作指示信号が入力された時点における開閉器１００の周辺温度が３℃以下であって、かつ、タンク４０２の二次側における空気圧が１４ｋｇ／ｃｍ2以上である場合に、電磁弁１２１を開くように開閉制御する。また、具体的には、制御部５０２は、たとえば、電磁弁１２１を開いた状態においてタンク４０２の二次側における空気圧が１３．５ｋｇ／ｃｍ2以下となった場合に、電磁弁１２１を閉じるように開閉制御する。
【００８６】
制御部５０２は、たとえば、電磁弁１２１を開いてから所定時間が経過した場合に、電磁弁１２１を閉じるように開閉制御してもよい。この場合、具体的には、制御部５０２は、たとえば、電磁弁１２１を開いてから２秒が経過した場合に、電磁弁１２１を閉じるように開閉制御することができる。電磁弁１２１を開いてから閉じるまでの時間は、２秒に限るものではなく、２秒よりも短い時間であってもよいし、２秒よりも長い時間であってもよい。
【００８７】
また、制御部５０２は、たとえば、外部装置から接地ブレード１１５にかかる動作指示信号が入力された時点における開閉器１００の周辺温度が３℃以下であって、かつ、タンク４０２の二次側における空気圧が１４ｋｇ／ｃｍ2以上である場合に、所定時間ごとに複数回電磁弁１２１を開閉するように開閉制御してもよい。
【００８８】
この場合、具体的には、制御部５０２は、たとえば、電磁弁１２１を開いてから２秒が経過した場合に電磁弁１２１を閉じ、電磁弁１２１を閉じてから１秒が経過した場合にふたたび電磁弁１２１を２秒間開くように開閉制御することができる。また、この場合、電磁弁１２１の開閉を繰り返す回数は、２回に限るものではなく、３回以上であってもよい。
【００８９】
つぎに、この発明にかかる実施の形態の開閉器運転支援装置の処理手順について説明する。図６は、この発明にかかる実施の形態の開閉器運転支援装置の処理手順を示すフローチャートである。図６のフローチャートにおいて、まず、開閉器１００が、接地ブレード１１５にかかる動作指示信号の入力を受け付けたか否かを判断する（ステップＳ６０１）。
【００９０】
ステップＳ６０１において、接地ブレード１１５にかかる動作指示信号の入力を受け付けていない場合（ステップＳ６０１：Ｎｏ）は、当該動作指示信号の入力を受け付けるまで待機する。一方、ステップＳ６０１において、接地ブレード１１５にかかる動作指示信号の入力を受け付けた場合（ステップＳ６０１：Ｙｅｓ）は、温度センサー１３０の出力値に基づいて、開閉器１００が設置された環境温度（外気温）が３℃以下であるか否かを判断する（ステップＳ６０２）。
【００９１】
ステップＳ６０２において、開閉器１００が設置された環境温度（外気温）が３℃以下ではない場合（ステップＳ６０２：Ｎｏ）は、一連の処理を終了する。一方、ステップＳ６０２において、開閉器１００が設置された環境温度（外気温）が３℃以下である場合（ステップＳ６０２：Ｙｅｓ）は、空気圧センサー５０３の出力値に基づいて、コンプレッサー４００のタンク４０２における二次側の圧力が１４ｋｇ／ｃｍ2以上であるか否かを判断する（ステップＳ６０３）。
【００９２】
ステップＳ６０３において、コンプレッサー４００のタンク４０２における二次側の圧力が１４ｋｇ／ｃｍ2以上である場合（ステップＳ６０３：Ｙｅｓ）は、接地用駆動モータ５０６を駆動制御して電磁弁１２１を開閉制御することにより、電磁弁１２１を開く（ステップＳ６０４）。これにより、操作機構部および接地ブレード１１５に対して、空気吐出口３０１から吐出された圧縮空気を吹き付けることができる。
【００９３】
この実施の形態において、開閉器１００は、接地ブレード１１５にかかる動作指示信号の入力を受け付けてから、操作機構部や接地ブレード１１５に対して圧縮空気が吹き付けられるまでに要する時間が経過した後に、駆動用電磁弁５０４や接地用駆動モータ５０６などを駆動制御して、接地ブレード１１５の回動動作をおこなう。すなわち、開閉器１００による接地ブレード１１５の回動動作は、開閉器運転支援装置が操作機構部および接地ブレード１１５に対して圧縮空気を吹き付けた後におこなわれる。
【００９４】
つぎに、接地状態検出センサー２０１ａからの出力信号に基づいて、接地ブレード１１５が正常に動作したか否かを判断する（ステップＳ６０５）。ステップＳ６０５において、接地ブレード１１５が正常に動作した場合（ステップＳ６０５：Ｙｅｓ）は、空気圧センサー５０３の出力値に基づいて、コンプレッサー４００のタンク４０２における二次側の圧力が１３．５ｋｇ／ｃｍ2以下となったか否かを判断する（ステップＳ６０６）。
【００９５】
ステップＳ６０６において、コンプレッサー４００のタンク４０２における二次側の圧力が１３．５ｋｇ／ｃｍ2以下となった場合（ステップＳ６０６：Ｙｅｓ）は、接地用駆動モータ５０６を駆動制御して電磁弁１２１を開閉制御することにより電磁弁１２１を閉じて（ステップＳ６０７）、一連の処理を終了する。
【００９６】
一方、ステップＳ６０６において、コンプレッサー４００のタンク４０２における二次側の圧力が１３．５ｋｇ／ｃｍ2以下ではない場合（ステップＳ６０６：Ｎｏ）は、ステップＳ６０４において電磁弁１２１を開いてから所定の動作時間が経過したか否かを判断する（ステップＳ６０８）。ステップＳ６０８においては、たとえば、「２秒」、「５秒」などのようにあらかじめ設定された動作時間に基づいて、「ステップＳ６０４において電磁弁１２１を開いてから２秒が経過した場合」、あるいは、「ステップＳ６０４において電磁弁１２１を開いてから５秒が経過した場合」にステップＳ６０４において電磁弁１２１を開いてから所定の動作時間が経過したと判断する。
【００９７】
ステップＳ６０８において、ステップＳ６０４において電磁弁１２１を開いてから所定の動作時間が経過していない場合（ステップＳ６０８：Ｎｏ）は、ステップＳ６０６へ戻り、コンプレッサー４００のタンク４０２における二次側の圧力が１３．５ｋｇ／ｃｍ2以下となったか否かを判断する（ステップＳ６０６）。
【００９８】
一方、ステップＳ６０８において、ステップＳ６０４において電磁弁１２１を開いてから所定の動作時間が経過した場合（ステップＳ６０８：Ｙｅｓ）は、ステップＳ６０７へ移行し、接地用駆動モータ５０６を駆動制御して電磁弁１２１を開閉制御することにより電磁弁１２１を閉じて（ステップＳ６０７）、一連の処理を終了する。これにより、電磁弁１２１が長時間開いたままの状態となって、タンク４０２内の圧縮空気を過剰に消費することを抑制することができ、タンク４０２内の圧縮空気を操作機構部や接地ブレード１１５に吹き付けた場合にも、開閉器１００を正常に動作させることができる。
【００９９】
ステップＳ６０５において、接地ブレード１１５が正常に動作しなかった場合（ステップＳ６０５：Ｎｏ）は、遠隔制御装置などの外部装置に対してエラー信号を出力して（ステップＳ６０９）、一連の処理を終了する。ステップＳ６０９においては、たとえば、「接地ブレードが正常に動作しませんでした。確認をお願いします。」などのメッセージを、遠隔制御装置などの外部装置に出力する。これにより、開閉器１００の遠隔にいる作業者に対して、開閉器運転支援装置が接地ブレード１１５に対して圧縮空気を吹き付けたにもかかわらず、接地ブレード１１５が正常に動作しなかったことを迅速に案内することができる。
【０１００】
ステップＳ６０３において、コンプレッサー４００のタンク４０２における二次側の圧力が１４ｋｇ／ｃｍ2以上ではない場合（ステップＳ６０３：Ｎｏ）は、ステップＳ６０１：Ｙｅｓにおいて接地ブレード１１５にかかる動作指示信号の入力を受け付けてから、あらかじめ設定された所定時間が経過したか否かを判断する（ステップＳ６１０）。
【０１０１】
ステップＳ６１０においては、たとえば、コンプレッサー４００によって空気の圧縮がおこなわれることにより、１４ｋｇ／ｃｍ2未満に低下しているタンク４０２内の空気の圧力の上昇を認めるまでに要する時間が経過したか否かを判断する。また、ステップＳ６１０においては、たとえば、あらかじめ設定された所定時間が経過するまでの間、開閉器１００に対して、接地ブレード１１５の回動の待機を要求する信号を出力してもよい。
【０１０２】
これにより、接地ブレード１１５が正常に動作できる環境が整うまでの間、開閉器１００に対して接地ブレード１１５の動作を待機させることができ、電磁弁１２１が動作していないにもかかわらず接地ブレード１１５が動作されることを防止することができる。
【０１０３】
ステップＳ６１０において、ステップＳ６０１：Ｙｅｓにおいて接地ブレード１１５にかかる動作指示信号の入力を受け付けてから、あらかじめ設定された所定時間が経過していない場合（ステップＳ６１０：Ｎｏ）は、当該所定時間が経過するまで待機する。一方、ステップＳ６１０において、ステップＳ６０１：Ｙｅｓにおいて接地ブレード１１５にかかる動作指示信号の入力を受け付けてから、あらかじめ設定された所定時間が経過した場合（ステップＳ６１０：Ｙｅｓ）は、ふたたび、コンプレッサー４００のタンク４０２における二次側の圧力が１４ｋｇ／ｃｍ2以上であるか否かを判断する（ステップＳ６１１）。
【０１０４】
ステップＳ６１１において、コンプレッサー４００のタンク４０２における二次側の圧力が１４ｋｇ／ｃｍ2以上である場合（ステップＳ６１１：Ｙｅｓ）は、ステップＳ６０４へ移行し、接地用駆動モータ５０６を駆動制御して電磁弁１２１を開閉制御することにより電磁弁１２１を開いて（ステップＳ６０４）、タンク４０２内の圧縮空気を接地ブレード１１５に吹き付ける。
【０１０５】
一方、ステップＳ６１１において、コンプレッサー４００のタンク４０２における二次側の圧力が１４ｋｇ／ｃｍ2以上ではない場合（ステップＳ６１１：Ｎｏ）は、遠隔制御装置などの外部装置に対して、開閉器運転支援装置が正常に動作しなかったことを示す不動作信号を出力して（ステップＳ６１２）、一連の処理を終了する。
【０１０６】
ステップＳ６１２においては、たとえば、「開閉器運転支援装置が正常に動作しませんでした。確認をお願いします。」などのメッセージを、遠隔制御装置などの外部装置に出力する。これにより、開閉器１００の遠隔にいる作業者に対して、開閉器運転支援装置が正常に動作せず、操作機構部や接地ブレード１１５に対する圧縮空気の吹き付けがおこなわれなかったことを迅速に案内することができる。
【０１０７】
この実施の形態においては、コンプレッサー４００の圧縮空気を操作機構部および接地ブレード１１５に吹き付ける開閉器運転支援装置について説明したが、開閉器運転支援装置は、操作機構部および接地ブレード１１５の少なくともいずれか一方にコンプレッサー４００の圧縮空気を吹き付けるものであればよい。
【０１０８】
また、この実施の形態においては、接地ブレード１１５の回動にかかわる各部によって操作機構部を実現するようにしたが、操作機構部は接地ブレード１１５の回動にかかわる各部によって実現されるものに限らない。操作機構部は、たとえば、導電ブレード１０９の回転にかかわる各部によって実現されるものであってもよい。
【０１０９】
この場合、外部装置から入力された導電ブレード１０９にかかる動作指示信号に基づく開閉器１００の動作を、導電ブレード１０９の回転動作によって実現することができる。また、この場合、開閉器１００の動作を指示する信号は、たとえば、外部装置である遠隔制御装置から出力された、「導電ブレード１０９を入り状態から切り状態へ切り換える」動作指示信号や、「導電ブレード１０９を切り状態から入り状態へ切り換える」動作指示信号によって実現することができる。
【０１１０】
以上説明したように、この実施の形態の開閉器運転支援装置は、外部装置から入力された接地ブレード１１５にかかる動作指示信号に基づく開閉器１００の動作に用いる空気を圧縮するコンプレッサー４００のタンク４０２の二次側に接続され、開閉器１００の操作機構部および接地ブレード１１５の少なくとも一方に対向する位置に設けられた空気吐出口３０１を備えた管路部材１２０と、管路部材１２０に設けられ、当該管路部材１２０中においてタンク４０２から空気吐出口３０１へ流れる空気の流路を開閉する電磁弁１２１と、開閉器１００の周辺温度を検出する温度検出手段としての温度センサー１３０と、を備え、接地ブレード１１５にかかる動作指示信号が入力されたことを検出した場合は温度センサー１３０の検出結果に基づいて電磁弁１２１を開閉制御するようにしたことを特徴としている。
【０１１１】
この発明にかかる実施の形態の開閉器運転支援装置によれば、外部装置から接地ブレード１１５にかかる動作指示信号が入力された場合は、開閉器１００の周辺温度に応じて電磁弁１２１を開閉制御することによってタンク４０２から空気吐出口３０１へ流れる空気の流路を開閉し、タンク４０２内の圧縮空気を空気吐出口３０１から管路部材１２０の外に吐出させることにより、開閉器１００の操作機構部および接地ブレード１１５に圧縮空気を吹き付けることができる。
【０１１２】
これにより、接地ブレード１１５にかかる動作指示信号に応じて開閉器１００が動作する際には、当該動作にかかわる操作機構部および接地ブレード１１５などに圧縮空気を吹き付け、開閉器１００の操作機構部および接地ブレード１１５における積雪や開閉器１００の操作機構部および接地ブレード１１５において凍結した水分などを圧縮空気によって除去することができる。
【０１１３】
これによって、この発明にかかる実施の形態の開閉器運転支援装置によれば、開閉器１００の操作機構部および接地ブレード１１５における積雪や操作機構部および接地ブレード１１５において凍結した水分（すなわち操作機構部や接地ブレード１１５の凍結）に起因する開閉器１００の動作不良の発生を抑制することができる。
【０１１４】
また、この発明にかかる実施の形態の開閉器運転支援装置によれば、開閉器１００の操作機構部および接地ブレード１１５の少なくとも一方に圧縮空気を吹き付けることによって開閉器１００の正常動作を確保しているため、たとえば、水などの液体を吹き付けることによって当該液体が吹き付け対象箇所とは別の箇所において凍結することにより開閉器１００の動作不良が発生する２次的な問題の発生を防止することができる。
【０１１５】
このように、この発明にかかる実施の形態の開閉器運転支援装置によれば、開閉器１００の設置環境に左右されることなく当該開閉器１００を常時正常に動作させることができる。
【０１１６】
また、この発明にかかる実施の形態の開閉器運転支援装置は、動作指示信号が入力された時点における開閉器１００の周辺温度が３℃以下である場合に電磁弁１２１を開くように開閉制御することを特徴としている。
【０１１７】
この発明にかかる実施の形態の開閉器運転支援装置によれば、降雪の可能性や、操作機構部および接地ブレード１１５周辺の水分が凍結する可能性がある状況下において開閉器１００に対して接地ブレード１１５にかかる動作指示信号が入力された場合に、開閉器１００の操作機構部および接地ブレード１１５の少なくとも一方に圧縮空気を吹き付け、開閉器１００の操作機構部や接地ブレード１１５における積雪や開閉器１００の操作機構部や接地ブレード１１５において凍結した水分などを圧縮空気によって除去することができる。
【０１１８】
これによって、この発明にかかる実施の形態の開閉器運転支援装置によれば、降雪の可能性や、操作機構部や接地ブレード１１５周辺の水分が凍結する可能性が低い状況下で開閉器運転支援装置を動作させることによる不要な電力消費を抑制しつつ、開閉器１００を常時正常に動作させることができる。
【０１１９】
また、この発明にかかる実施の形態の開閉器運転支援装置は、タンク４０２の二次側における空気圧を検出する空気圧センサー５０３を備え、外部装置から接地ブレード１１５にかかる動作指示信号が入力された場合は、温度センサー１３０および空気圧センサー５０３による検出結果に基づいて電磁弁１２１を開閉制御することを特徴としている。
【０１２０】
この発明にかかる実施の形態の開閉器運転支援装置によれば、開閉器１００の操作機構部や接地ブレード１１５における積雪や操作機構部や接地ブレード１１５において凍結した水分を除去するために十分な空気圧が確保できる状況下において開閉器１００に対して接地ブレード１１５にかかる動作指示信号が入力された場合に、開閉器１００の操作機構部および接地ブレード１１５の少なくとも一方に圧縮空気を吹き付け、開閉器１００の操作機構部や接地ブレード１１５における積雪や開閉器１００の操作機構部や接地ブレード１１５において凍結した水分などを圧縮空気によって除去することができる。
【０１２１】
これによって、この発明にかかる実施の形態の開閉器運転支援装置によれば、開閉器１００の操作機構部や接地ブレード１１５における積雪や開閉器１００の操作機構部や接地ブレード１１５において凍結した水分などを除去する効果が低いと想定される状況下で開閉器運転支援装置を動作させることによる不要な電力消費を抑制しつつ、当該積雪や水分を除去する効果を確保できる状況下でのみ開閉器運転支援装置を動作させることができ、開閉器１００を常時正常に動作させることができる。
【０１２２】
また、この発明にかかる実施の形態の開閉器運転支援装置は、タンク４０２の二次側における空気圧が１４ｋｇ／ｃｍ2以上である場合に電磁弁１２１を開くように開閉制御することを特徴としている。この発明にかかる実施の形態の開閉器運転支援装置によれば、開閉器１００の操作機構部や接地ブレード１１５における積雪や開閉器１００の操作機構部や接地ブレード１１５において凍結した水分などを確実に除去することができる。
【０１２３】
また、この発明にかかる実施の形態の開閉器運転支援装置によれば、開閉器１００の操作機構部や接地ブレード１１５における積雪や開閉器１００の操作機構部や接地ブレード１１５において凍結した水分などを除去する効果が低いと想定される、圧力の低い空気を吐出させることによって圧縮空気を無駄に消費することを抑制し、当該積雪や水分を除去する効果を確保できる状況下でのみ開閉器運転支援装置を動作させることができ、開閉器１００を常時正常に動作させることができる。
【０１２４】
また、この発明にかかる実施の形態の開閉器運転支援装置は、タンク４０２の二次側における空気圧が１３．５ｋｇ／ｃｍ2以下である場合に電磁弁１２１を閉じるように開閉制御することを特徴としている。
【０１２５】
この発明にかかる実施の形態の開閉器運転支援装置によれば、開閉器１００の操作機構部や接地ブレード１１５における積雪や開閉器１００の操作機構部や接地ブレード１１５において凍結した水分などを除去する効果が低いと想定される、圧力の低い空気を吐出させることによって圧縮空気を無駄に消費することを抑制し、当該積雪や水分を除去する効果を確保できる状況下でのみ開閉器運転支援装置を動作させることができ、開閉器１００を常時正常に動作させることができる。
【０１２６】
また、この発明にかかる実施の形態の開閉器運転支援装置は、空気吐出口３０１が、複数設けられていることを特徴としている。この発明にかかる実施の形態の開閉器運転支援装置によれば、広範囲にわたって圧縮空気を吹き付けることができるので、開閉器１００の操作機構部や接地ブレード１１５における積雪や開閉器１００の操作機構部や接地ブレード１１５において凍結した水分などを圧縮空気によって効果的に除去することができる。
【０１２７】
また、この発明にかかる実施の形態の開閉器運転支援装置は、管路部材１２０における空気吐出口３０１の近傍に設けられ、当該管路部材１２０の外周方向に突出するバイザー部材３０２を備えたことを特徴としている。この発明にかかる実施の形態の開閉器運転支援装置によれば、雨水、土、砂、塵芥などの異物が空気吐出口３０１を介して管路部材１２０の内側に入り込むことを抑制することができる。
【０１２８】
これによって、空気吐出口３０１を介して管路部材１２０の内側に入り込んだ異物が空気吐出口３０１に詰まるなどして圧縮空気の吹き付けが妨害されることを防止し、開閉器１００の操作機構部や接地ブレード１１５における積雪や開閉器１００の操作機構部や接地ブレード１１５において凍結した水分などを圧縮空気によって効果的に除去することができる。
【０１２９】
また、この発明にかかる実施の形態の開閉器運転支援装置は、バイザー部材３０２が、空気吐出口３０１から吐出された空気を操作機構部および接地ブレード１１５の少なくとも一方に案内する形状をなすことを特徴としている。
【０１３０】
この発明にかかる実施の形態の開閉器運転支援装置によれば、空気吐出口３０１から吐出された空気が四方に拡散することを抑制し、開閉器１００の操作機構部や接地ブレード１１５に確実に吹き付けることができる。これによって、空気吐出口３０１から吐出される圧縮空気を有効に利用することができ、開閉器１００の操作機構部や接地ブレード１１５における積雪や開閉器１００の操作機構部や接地ブレード１１５において凍結した水分などを圧縮空気によって効果的に除去することができる。
【０１３１】
このように、この発明にかかる実施の形態の開閉器運転支援装置によれば、積雪時や凍結時における開閉器１００の動作確保をおこなうことができる。また、この発明にかかる実施の形態の開閉器運転支援装置によれば、温度センサー１３０の出力値に基づいて電磁弁１２１を動作させることにより、積雪のみではなく凍結の場合も開閉器１００の動作確保をおこなうことができる。
【０１３２】
これによって、この発明にかかる実施の形態の開閉器運転支援装置によれば、開閉器１００が動作不能となったために作業員が現地におもむいて対応する機会を低減することができる。そして、作業員が現地におもむいて対応する機会を低減することにより、たとえば、現地におもむく作業員や移動に用いる車両および当該車両が使用する燃料の確保など、現地での対応にかかる費用を削減することができる。
【０１３３】
また、この発明にかかる実施の形態の開閉器運転支援装置によれば、接地ブレード１１５を確実に動作させることができるので、従来、現地におもむいた作業員が当該現地で作業を完了するまで待機せざるをえなかった送電線作業への着手待ち時間を低減することができる。さらに、この発明にかかる実施の形態の開閉器運転支援装置によれば、積雪、降雪、凍結時などにおいて車両を運転する必要がなくなるため、積雪、降雪、凍結時に運転することによる作業車の危険を回避することができる。
【産業上の利用可能性】
【０１３４】
以上のように、この発明にかかる開閉器運転支援装置は、開閉器の運転を支援する開閉器運転支援装置に有用であり、特に、積雪や凍結の可能性が高い環境下に設置された開閉器の運転を支援する開閉器運転支援装置に適している。
【符号の説明】
【０１３５】
１００  開閉器
１１５  接地ブレード
１２０  管路部材
１２０ａ  高圧ホース
１２０ｂ、１２０ｃ  管状部材
１２１  電磁弁
１３０  温度センサー
３０１  空気吐出口
４００  コンプレッサー
４０２  タンク
５０１  通信部
５０２  制御部
５０６  接地用駆動モータ
【図１】
0005165094.tif 000002
【図２】
0005165094.tif 000003
【図３】
0005165094.tif 000004
【図４】
0005165094.tif 000005
【図５】
0005165094.tif 000006
【図６】
0005165094.tif 000007